(57)【要約】【課題】接着剤を利用せず接続でき、安定した光信号伝送効果が得られる光ファイバ導線のコネクタを提供する。【解決手段】筒状部材とその一端に設けるヘッド部とによってなるコネクタ本体と、グリップ部とによってコネクタ本体を構成し、ヘッド部に収納空間を形成するとともに、端面に貫通孔を穿設する。該貫通孔は直径を光ファイバ導線のコアより狭くする。筒状部材は中空に形成し、内径を光ファイバ導線の保護層程度のサイズにする。グリップ部は金属材によってなり、一端に筒状部材を嵌挿し、他端を圧着端縁部とする。【選択図】図２Ｂ
0003101655.tif 000002
【実用新案登録請求の範囲】
【請求項１】
コネクタ本体と、グリップ部とによってなり、光ファイバ導線の一端に接続するコネクタであって、
該コネクタ本体は筒状部材と、熱膨張と収縮とによって該筒状部材の一端に緊密に連結するヘッド部とを含んでなり、
該ヘッド部は、一方の端面に口径が光ファイバ導線のコアの直径よりやや狭い貫通孔を穿設し、該筒状部材は内部を軸方向に貫通し、且つ光ファイバ導線の保護層を嵌挿できるだけのサイズの直径を有する収納孔を形成し、
該グリップ部は、該筒状部材の一端に連結され、内部には嵌合孔と、該嵌合孔に連通する貫通孔を形成するとともに、一端を工具で圧縮し光ファイバ導線の保護層に圧着させる圧着端縁部とすることを特徴とする光ファイバ導線コネクタ。
【請求項２】
前記ヘッド部には、該筒状部材に嵌合する接合部を形成することを特徴とする請求項１に記載の光ファイバ導線コネクタ。
【請求項３】
前記筒状部材は、一方の端縁部に内径を広くした内壁肩部を形成し、該内壁肩部に該ヘッド部の接合部を嵌挿することを特徴とする請求項２に記載の光ファイバ導線コネクタ。
【請求項４】
前記ヘッド部は、該筒状部材の一端が嵌合する収納室を内部に形成することを特徴とする請求項１に記載の光ファイバ導線コネクタ。
【請求項５】
前記筒状部材の一端に接合部を形成し、該ヘッド部の収納室に該接合部を嵌挿することを特徴とする請求項４に記載の光ファイバ導線コネクタ。
【考案の詳細な説明】
【技術分野】
【０００１】
この考案はコネクタに関し、特に光ファイバ導線に接続するコネクタに関する。
【背景技術】
【０００２】
光ファイバは、直径が狭く、帯域が広く、伝送の損失が低いなどといった特徴を有する。このため、光ファイバを信号伝送の経路として利用することは、目下通信産業などの業界において主流となっている。
かかる光ファイバを利用した通信システムの架設は、光ファイバの幹線を主要な経路とし、さらに幹線から支線が分岐してそれぞれのユーザー端末に信号を伝送する。この場合、支線とユーザー端末との間にジャンパ線、もしくは伝送線などを介在させて光ファイバの信号伝送距離を延伸させる。
【０００３】
図１に、従来のジャンパ線、もしくは伝送線となる光ファイバ導線(2)と、該光ファイバ導線の一端に接続するコネクタ(1)を開示する。図面によれば、コネクタ(1)は、コネクタ本体(3)と、該コネクタ本体(31)の一端に連結するグリップ部(4)とによってなる。コネクタ本体(3)は、内部を軸方向に貫通する収納孔(5)を形成し、グリップ部(4)は、内部を軸方向に貫通する貫通孔(6)を形成してなり、グリップ部(4)をコネクタ本体(3)に連結した状態において、該収納孔(5)と貫通孔(6)とが連通する。
【０００４】
光ファイバ導線(2)は１本、もしくは１本以上のコア(7)と、コア(7)を被覆するクラッド(8)と、クラッド(8)を被覆する保護層(9)とによってなる。
【０００５】
光ファイバ導線(2)の一端にコネクタ(1)を接続する場合、光ファイバ導線(2)の一端のクラッド(8)と保護層(9)の一部を除去し、所定の距離だけコア(7)を露出させる。次いで、コア(7)と保護層(9)の表面に熱硬化性の接着剤(10)を塗布し、光ファイバ導線(2)の一端をコネクタ本体(3)の収納孔(5)に挿入して接着させる。この場合、保護層(9)はグリップ部(4)の貫通孔(6)内に収納される。最後に、接着剤(10)が乾燥すると、光ファイバ(2)とコネクタ(1)との連結が完成する。
【０００６】
上述の如く、熱硬化性の接着剤(10)でコネクタ(1)と光ファイバ導線(2)とを接着すると、接着剤(10)を塗布する際に気泡が発生することがある。さらに、熱硬化性の接着剤(10)は温度の変化にともなって熱膨脹、収縮が発生する。かかる現象が発生すると、光点の位置がずれて光信号の伝送特性に影響を与える。これは、温度差、振動などの環境の変化によって接着剤(10)の特性が変質するためである。よって、改善が待たれる。
【０００７】
また、接着剤(10)を利用してコネクタ(1)を接続する作業は、接着剤の塗布、乾燥、コアの端面に付着した接着剤の除去、及び研磨などと煩雑な工程を必要とする。このため、製造時間が長くなり、製造コストが高くなる。この点についても改善が待たれる。
【考案の開示】
【考案が解決しようとする課題】
【０００８】
この考案は、接着剤を利用することなく接続でき、かつ安定した光信号伝送効果が得られる光ファイバ導線のコネクタを提供することを課題とする。
【課題を解決するための手段】
【０００９】
そこで、本考案者は、従来の技術に見られる欠点に鑑み鋭意研究を重ねた結果、コネクタ本体と、グリップ部とによってコネクタを構成し、該コネクタ本体は筒状部材とヘッド部とを含んでなり、熱膨張と収縮とを利用して該筒状部材とヘッド部とを緊密に連結し、且つ該ヘッド部の一方の端面に口径が光ファイバ導線のコアの直径よりやや狭い貫通孔を穿設し、熱膨張と収縮とを利用して光ファイバ導線のコアと該ヘッド部の貫通孔の内壁とを緊密に接合してなる光ファイバ導線コネクタの構造によって課題を解決できる点に着眼し、かかる知見に基づいて本考案を完成させた。
【００１０】
以下この考案について具体的に説明する。
請求項１に記載する光ファイバ導線コネクタは、コネクタ本体と、グリップ部とによってなり、光ファイバ導線の一端に接続するコネクタであって、
該コネクタ本体は筒状部材と、熱膨張と収縮とによって該筒状部材の一端に緊密に連結するヘッド部とを含んでなり、
該ヘッド部は、一方の端面に口径が光ファイバ導線のコアの直径よりやや狭い貫通孔を穿設し、該筒状部材は内部を軸方向に貫通し、且つ光ファイバ導線の保護層を嵌挿できるだけのサイズの直径を有する収納孔を形成し、
該グリップ部は、該筒状部材の一端に連結され、内部には嵌合孔と、該嵌合孔に連通する貫通孔を形成するとともに、一端を工具で圧縮し光ファイバ導線の保護層に圧着させる圧着端縁部とする。
【００１１】
請求項２に記載する光ファイバ導線コネクタは、請求項１におけるヘッド部に、該筒状部材に嵌合する接合部を形成する。
【００１２】
請求項３に記載する光ファイバ導線コネクタは、請求項２における筒状部材が、一方の端縁部に内径を広くした内壁肩部を形成し、該内壁肩部に該ヘッド部の接合部を嵌挿する。
【００１３】
請求項４に記載する光ファイバ導線コネクタは、請求項１におけるヘッド部が、該筒状部材の一端が嵌合する収納室を内部に形成する。
【００１４】
請求項５に記載する光ファイバ導線コネクタは、請求項４における筒状部材の一端に接合部を形成し、該ヘッド部の収納室に該接合部を嵌挿する。
【考案の効果】
【００１５】
本考案の光ファイバ導線のコネクタは、接着剤を利用することなく光ファイバの導線にコネクタを接続できるため、製造工程が簡醐ヒされ、製造コストを低減できるという利点がある。
【考案を実施するための最良の形態】
【００１６】
この考案は、光ファイバ導線に接続するコネクタを提供するものであって、コネクタ本体と、グリップ部とによってコネクタを構成し、該コネクタ本体は筒状部材とヘッド部とを含んでなり、熱膨張と収縮とを利用して該筒状部材とヘッド部とを緊密に連結し、且つ該ヘッド部の一方の端面に口径が光ファイバ導線のコアの直径よりやや狭い貫通孔を穿設し、熱彰張と収縮とを利用して光ファイバ導線のコアと該ヘッド部の貫通孔の内壁とを緊密に接合する。
係るコネクタの構造と特徴を詳述するために具体的な実施例を挙げ、以下に説明する。
【実施例１】
【００１７】
図２Ａ,２Ｂに、この考案による光ファイバ導線のコネクタの好ましい実施例を開示する。図面によれば、コネクタ(20)は光ファイバ導線(40)(図6参照)の一端に接続する。光ファイバ導線(40)は１本、もしくは１本以上のコア(41)と、コア(41)を被覆するクラッド(42)と、クラッド(42)を被覆する保護層(43)とによってなる。また、コネクタ(20)を接続する場合、光ファイバ導線(40)の一端は、一部のクラッド(42)と保護層(43)とを除去して所定の長さだけコア(41)を露出させる。
【００１８】
コネクタ(20)は、コネクタ本体(21)と、グリップ部(22)とによってなり、コネクタ本体(21)は筒状部材(24)と、筒状部材(24)の一端に設けるヘッド部(23)とを含んでなる。
【００１９】
図３に、ヘッド部(23)の好ましい実施形態を開示する、図面に開示するように、ヘッド部(23)は筒体の外周面に突起部が一体に形成された凸状端縁部(25)と、接合部(26)とによってなり、凸状端縁部(25)側の端面には、貫通孔(27)を穿設する。該貫通孔(27)の口径は、光ファイバ導線(40)のコア(41)の直径よりやや狭くする。また、ヘッド部(23)内の空間を、光ファイバ導線(40)の保護層(43)が嵌挿される収納空間(28)とする。
【００２０】
図４に、筒状部材(24)の好ましい実施例を開示する。筒状部材(24)は、内部を軸方向に貫通する収納孔(29)を形成してなり、該収納孔(29)の直径は、光ファイバ導線(40)の保護層(43)を嵌挿できるだけのサイズにする。また、筒状部材(24)は一方の端縁部に、内径を広くした内壁肩部(211)を形成する。内壁肩部(211)の直径は、ヘッド部(23)の接合部(26)の直径よりやや狭くする。
【００２１】
ヘッド部(23)と筒状部材(24)とは、加熱することによって発生する熱膨張と、収縮現象を利用して緊密に連結させる。即ち、筒状部材(24)の内壁肩部(211)を加熱して直径が広がるように膨脹させ、ヘッド部(23)の接合部(26)を嵌入させる。筒状部材(24)が冷却し、収縮すると、図２Ｂに開示するようにヘッド部(23)と筒状部材(24)とが緊密に連結する。
【００２２】
図５に、グリップ部(30)の好ましい実施形態を開示する。グリップ部(30)は金属材によってなり、内部には嵌合孔(31)と、該嵌合孔(31)に連通する貫通孔(32)を形成する。嵌合孔(31)には、図２Ｂに開示するように筒状部材(24)の一端を嵌合し、嵌合孔(31)とグリップ部(30)が連結される。この状態において、貫通孔(32)は、嵌合孔(31)に嵌合した筒状部材(24)の収納孔(29)に連通する。また、貫通孔(32)の直径は、光ファイバ導線(40)の保護層(43)を挿入できるだけのサイズとする。
【００２３】
コネクタ(20)を光ファイバ導線(40)一端に接続するために、光ファイバ導線(40)をコネクタ(20)に連結する前に、予めヘッド部(23)の貫通孔(27)を穿設した凸状端縁部(25)側を加熱して膨脹させ、貫通孔(27)の直径を拡張させる。次いで、コア(41)を露出させた光ファイバ導線(40)を挿入し、かつコア(41)を貫通孔(27)に挿入する。この場合、クラッド(42)と保護層(43)はヘッド部(23)の収納空間(28)と、筒状部材(24)の収納孔(29)と、グリップ部(30)の貫通孔(32)内に位置する。ヘッド部(29)が冷却して収縮すると、図６に開示するようにコア(41)がヘッド部(23)の貫通孔(27)の内壁と緊密に接合する。
【００２４】
グリップ部(30)は一端を圧着端縁部(33)とし、上述の如くコア(41)をヘッド部(23)の貫通孔(27)の内壁と緊密に接合させた後、圧着用の工具を利用して直径を圧縮して光ファイバ導線(40)の保護層(43)と緊密に圧着させる。
【実施例２】
【００２５】
図７Ａ,７Ｂに第２の実施例を開示する。第２の実施例においては、ヘッド部(51)と筒状部材(52)とによってコネクタ本体(50)を構成する。
【００２６】
図８に、第２の実施例におけるヘッド部(51)の好ましい実施形態を開示する。ヘッド部(51)は内部に収納室(53)を形成するとともに、一方の端面に貫通孔(54)を穿設してなる。貫通孔(54)の直径は、光ファイバ導線(40)のコア(41)の直径よりやや狭くする。
【００２７】
図９に、筒状部材(52)の好ましい実施形態を開示する。図面によれば、筒状部材(52)は、筒状本体(55)と、該筒状本体(55)の一端に形成する接合部(56)とによってなり、内部には軸方向に貫通する収納孔(57)を形成する。収納孔(57)の直径は、光ファイバ導線(40)の保護層(43)を嵌挿できるだけのサイズとする。また、接合部(56)の外径はヘッド部(51)の収納室(53)の内径よりやや広くする。
【００２８】
コネクタ本体(50)を構成するヘッド部(51)と筒状部材(52)は、加熱によって発生する熱膨張と収縮を利用して緊密に連結する。即ち、ヘッド部(51)の収納室(53)内を加熱して膨脹させ、内径を拡張させる。次いで、筒状部材(52)の接合部(56)を嵌挿する。ヘッド部(51)が冷却すると、図７Ｂに開示するようにヘッド部(51)と筒状部材(52)とが緊密に連結する。
【００２９】
光ファイバ導線(40)の一端にコネクタ本体(50)を接続する場合は、予めヘッド部(51)と筒状部材(52)とを緊密に連結し、さらにヘッド部(51)の貫通孔(54)を加熱して膨脹させ、直径を拡張させる。次いで、光ファイバ導線(40)を筒状部材(52)に挿入して、コア(41)を貫通孔(54)内に嵌挿する。この状態において、光ファイバ導線(40)のクラッド(42)と保護層(43)はヘッド部(51)の収納室(53)と筒状本体(55)の収納孔(57)とグリップ部の収納孔(58)内に位置する。ヘッド部(51)が冷却して収縮すると、図１０に開示するようにコア(41)が、貫通孔(54)の内壁と緊密に接合する。
【実施例３】
【００３０】
図１１Ａ,１１Ｂに開示するように、第３の実施例においては、ヘッド部(61)と筒状部材(62)とによってコネクタ本体(60)を構成する。
【００３１】
図１２に、第３の実施例におけるヘッド部(61)の好ましい実施形態を開示する。図面によれば、ヘッド部(61)は内部に収納孔(63)を形成するとともに、一方の端面に貫通孔(64)を穿設する。収納孔(63)の直径は光ファイバ導線(40)の保護層(43)を嵌挿できるだけのサイズとし、貫通孔(64)の直径は、光ファイバ導線(40)のコア(41)の直径よりもやや狭くする。
【００３２】
図１３に、第３の実施例における筒状部材の好ましい実施形態を開示する、筒状部材(62)は、内部を軸方向に貫通する収納孔(65)を形成する。収納孔(65)の直径は、光ファイバ導線(40)の保護層(43)を嵌挿できるだけのサイズとする。筒状部材(62)は一方の端縁部に、内径を広くした内壁肩部(66)を形成する。内壁肩部(66)の直径は、ヘッド部(61)の外径よりやや狭くする。
【００３３】
ヘヅド部(61)と筒状部材(62)は、加熱することによって熱膨張、収縮させ、緊密に連結する。
すなわち、筒状部材(62)の内壁肩部(66)を加熱して膨脹させ、直径を拡張させる。次いで、ヘッド部(61)の一端を内壁肩部(66)に嵌挿する。図１１Ｂに開示するように、ヘッド部(61)が冷却するとヘッド部(61)の外周面と内壁肩部(66)の内壁とが緊密に接合する。
【００３４】
光ファイバ導線(40)を接続する場合は、予めヘッド部(61)と筒状部材(62)とを緊密に連結し、さらにヘッド部(61)の貫通孔(64)を加熱して膨脹させ、直径を拡張させる。次いで、光ファイバ導線(40)を筒状部材(62)に挿入して、コア(41)を貫通孔(64)内に嵌挿する。この状態において、光ファイバ導線(40)のクラッド(42)と保護層(43)は筒状部材(62)の収納孔(65)とヘッド部(61)の収納室(63)とグリップ部の収納孔(67)内に位置する。ヘッド部(61)が冷却して収縮すると、図１４に開示するように、コア(41)が貫通孔(64)の内壁と緊密に接合する。
【００３５】
この考案によるコネクタは、各種サイズのケーブルに応用することができ、加熱による熱膨脹と冷却による収縮を利用してヘッド部を筒状部材とを緊密に接合するとともに、光ファイバ導線のコアとヘッド部の貫通孔とを緊密に接合する。この考案のコネクタを光ファイバ導線に接続することによって光ファイバジャンパ線、或いは光ファイバ伝送線を形成することができ、コネクタ本体をソケットに接続する動作が容易になる。更に、光信号の伝送距離を延長させ、且つ安定した光信号の伝送を行うことができる。
【００３６】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３７】
【図１】従来の光ファイバ導線コネクタを示した断面図である。
【図２Ａ】この考案による光ファイバ導線コネクタの斜視図である。
【図２Ｂ】図２に開示する光ファイバ導線コネクタの断面図である。
【図３】図２に開示する光ファイバ導線コネクタのヘッド部の断面図である。
【図４】図２に開示する光ファイバ導線コネクタの筒状部材の断面図である。
【図５】図２に開示する光ファイバ導線コネクタのグリップ部の断面図である。
【図６】図２に開示する光ファイバ導線コネクタを光ファイバ導線に接続した状態を示した説明図である。
【図７Ａ】この考案の第2の実施例によるコネクタ本体の斜視図である。
【図７Ｂ】図７Ａに開示するコネクタ本体の断面図である。
【図８】第２の実施例におけるヘッド部の断面図である。
【図９】第２の実施例における筒状部材の断面図である。
【図１０】図７Ａに開示する光ファイバ導線コネクタを光ファイバ導線に接続した状態を示した説明図である。
【図１１Ａ】この考案の第３の実施例によるコネクタ本体の斜視図である。
【図１１Ｂ】図１１Ａに開示するコネクタ本体の断面図である。
【図１２】この考案の第３の実施例におけるヘッド部の断面図である。
【図１３】この考案の第３の実施例における筒状部材の断面図である。
【図１４】図１１Ａに開示する光ファイバ導線コネクタを光ファイバ導線に接続した状態を示した説明図である。
【符号の説明】
【００３８】
1  コネクタ
2  光ファイバ導線
3  コネクタ本体
4  グリップ部
5  収納孔
6  貫通孔
7  コア
8  クラッド
９  保護層
10  接着材
20  コネクタ
21、50、60  コネクタ本体
22  グリップ部
23、51、61  ヘッド部
24、52、62  筒状部材
25  凸状端縁部
26、56  接合部
27、54、64  貫通孔
211、66  内部肩部
28  収納空間
29、57、58、63、65、67  収納孔
30  グリップ部
31  嵌合孔
32  貫通孔
33  圧着端縁部
40  光ファイバ導線
41  コア
42  クラッド
43  保護層
53  収納室
55  筒状本体
【図１】
0003101655.tif 000003
【図２Ａ】
0003101655.tif 000004
【図２Ｂ】
0003101655.tif 000005
【図３】
0003101655.tif 000006
【図４】
0003101655.tif 000007
【図５】
0003101655.tif 000008
【図６】
0003101655.tif 000009
【図７Ａ】
0003101655.tif 000010
【図７Ｂ】
0003101655.tif 000011
【図８】
0003101655.tif 000012
【図９】
0003101655.tif 000013
【図１０】
0003101655.tif 000014
【図１１Ａ】
0003101655.tif 000015
【図１１Ｂ】
0003101655.tif 000016
【図１２】
0003101655.tif 000017
【図１３】
0003101655.tif 000018
【図１４】
0003101655.tif 000019